(57)【要約】      （修正有）【課題】電解補助液の注入水路のエア抜きが完了し、電解補助液が電解槽内へ到達したことを電解槽の実負荷にて確認し、常に、適正な電解水が生成できる電解水生成器のエア抜きの方法を提供する。【解決手段】エア抜き釦を押すと、注入ポンプ１８の運転を開始する。５分後に、通水電磁弁３を開き通水すると共に電解電源２０を電解槽８に印加する。電解電流が所定電流（１０Ａ）に達したか判定する。所定電流（１０Ａ）に達しない場合は該電解槽８の該電解電源２０を遮断すると共に通水電磁弁３を閉じて止水する。１秒後に、所定電流（１０Ａ）に達したか判定する（最大Ｎ回まで繰り返す）。所定電流（１０Ａ）に達した場合は確実な状態を確認するために１０秒後に、再度、所定電流（１０Ａ）に達したか判定する。所定電流（１０Ａ）に達した場合は該電解槽８の該電解電源２０を遮断すると共に該通水電磁弁３を閉じて止水してエア抜き完了する。【選択図】          図１
2005288424.tif 000002
【特許請求の範囲】
【請求項１】
収容した一対または二対以上の電極間に印加した電解電源の所定電圧により、生成される酸性電解水及びアルカリ性電解水のｐＨ、ＯＲＰ、残留塩素等のコントロールのために、外部供給源から供給される原水に電解補助液を注入した水の電気分解により電解水を生成する電解槽を具備した電解水生成器において、電解補助液を貯溜する電解補助液タンクへ連結する注入ポンプを具備した電解補助液の注入水路は電解水生成水路の原水に直接注入するように配置し、電解補助液の注入水路のエア抜き時には所定の時間注入ポンプを運転後に、電解補助液が電解槽内へ到達したことを電解槽の実負荷にて、動的に確認し、電解補助液の注入水路のエア抜きを完了させることを特徴とする電解水生成器の電解補助液の注入水路のエア抜き方法。
【発明の詳細な説明】
【技術分野】
【０００１】  本発明は、電解槽内に外部供給源から供給された原水へ電解補助液を注入して電気分解する電解水生成器に係わるものであり、詳しくは、電解補助液が電解槽内へ到達したことを電解槽の実負荷にて動的に確認し、エア抜きを確実に完了する電解水生成器の電解補助液の注入水路のエア抜き方法に関するもの。
【背景技術】
【０００２】  従来、生成される酸性電解水及びアルカリ性電解水のｐＨ、ＯＲＰ、残留塩素等のコントロールのために原水に電解補助液を注入する水の電気分解において、導入の初期或いは電解補助液補充時に電解補助液タンクから電解補助液の注入水路の間のエアを抜く必要がある。その方法として、注入水路系に電磁弁、或いは手動弁を具備し、電解水の生成時には注入水路を電解槽へ導く水路へ切り替え、エア抜き時には排水口へ導く水路に切り替える機能を有し、エア抜き時には排水口へ導く水路側へ切り替えて電解補助液が電解補助液タンクから排水口に到達したことを目視している方法、或いは、注入水路系の体積と注入量から所定の時間をタイマーでエア抜きをしている方法はあった。【０００３】  しかし、従来の電解水生成器にあっては、上記の注入水路系を切り替えて目視する方法は生成モードに切り替えた時、電磁弁或いは手動弁から電解槽へ導く水路にエアが残る可能性があり、電解補助液が注入されずに電気分解をするために電気分解を開始した初期に適正な電解水が得られないという構造的な欠点があった。【０００４】  また、タイマーで注入する方法は机上の計算であり、製造上の注入水路系の体積バラツキがあり完全にエア抜きできない時があり、電解補助液が注入されずに電気分解をするために電気分解を開始した初期に適正な電解水が得られないという機能的な欠点があった。
【発明の開示】
【発明が解決しようとする課題】
【０００５】  解決しようとする問題点は、エアが残る可能性があり、電解水生成を開始した初期に生成した電解水の性能や機能を満たさない点である。
【課題を解決するための手段】
【０００６】  本発明は、電解補助液の注入水路のエア抜き時に、電解補助液が電解槽内へ到達したことを電解槽の実負荷にて動的に確認し、エア抜きを完了することで、電気分解開始時には確実に電解補助液が電解槽内に注入されて、常に、適正な電解水生成を維持することを最も主要な特徴としている。【０００７】  上記の課題を解決する為に、本発明のエア抜きにおいては、電解補助液を貯溜する電解補助液タンクへ連結する注入ポンプを具備した電解補助液の注入水路は原水に直接注入するように配置し、電解補助液の注入水路のエア抜き時には所定の時間注入ポンプを運転する、所定の時間経過すると通水電磁弁を開にして通水すると共に、電解槽へ電解電源を印加する。その時の電解電流を測定し、所定電流に達した場合、更に１０秒間後に、電解電流を再測定し所定電流を維持していいる場合、到達と判断し、電解槽への電解電源を遮断し、通水電磁弁を閉にして止水し、エア抜きを完了する。
また、所定電流に達しない場合、電解電源を遮断し、通水電磁弁を閉にして止水し、数秒間エア抜き動作を続け、再度、通水電磁弁を開にして通水し、電解槽へ電解電源を印加する。同様に、その時の電解電流を測定し所定電流に達した場合、２重確認をして、エア抜きを完了する。
さらに、所定電流に達しない場合、この動作をＮ回繰り返し、電解補助液の到達確認を行う。そして、Ｎ回繰り返しても、所定電流に達しない場合、電解補助液タンクが空と判断し、電解補助液タンク空の異常表示してエア抜き動作を停止するものである。【０００８】  上記、電解補助液タンクは電解水生成器の内部に配置しても、外部に配置しても良い。注入水路の長さにより所定の時間を適切に設定するものである。
【発明の効果】
【０００９】  電解補助液が電解槽内へ到達することを動的に確認することで、電解水の生成開始後、すぐに、適正な電解水が生成できるという利点がある。【００１０】  注入水路が簡素化され濃塩水により劣化させる部品が少なくなり、製品品質が向上する、また、製品コスト低減することができるという利点がある。
【発明を実施するための最良の形態】
【００１１】  電解補助液を電解槽内へ確実に注入するという目的を、電解補助液が電解槽内へ到達したことを電解槽の実負荷にて、動的に確認し、エア抜きを完了することで実現した。
【発明を実施するための最良の形態】
【００１２】  毎分１Ｌを生成する強酸性水生成器（電解補助液として濃塩水を使用した）の実施例に基づき図面を参照して説明する。
図１において、１〜１２は電解水生成水路を示す。給水管１には水道水などの供給原水を接続する、原水中の不純物を除去するストレーナ２及びフィルター５を具備し、給水制御をする給水電磁弁３及び、生成器内部の水圧を制圧する減圧弁４具備し、流量を確認する流量センサー６及び、流量を２Ｌ／分に設定する流量調整弁７を具備する。流量設定した原水は電解槽８へ導入し、該電解槽８は隔膜板１０にて仕切てある該隔膜板１０を挟んで対向した電極板９ａ及び、９ｂを具備する、制御器１９により制御する電解電源２０から該電極板９ａ、９ｂに印加し電気分解が行われる。隔膜板で仕切られた各室から強酸性電解水吐出口１１及び、強アルカリ性電解水吐出口１２へ接続している。各々吐出口から強酸性電解水及び強アルカリ性電解水を各１Ｌ／分吐出する電解水生成水路で構成し、また、１６〜１８は電解補助液注入水路を示す。電解水生成器の外部に設置した濃塩水を貯溜する電解補助液タンク１６から注入口を設けた該流量調整弁７へ注入（定流量）ポンプ１８により濃塩水を注入する注入水路で構成している。【００１３】  図２において、ＡＣ電源を投入すると待機中となる。該制御器１９にはエア抜き釦２１及び生成開始釦３４が実装してある。該エア抜き釦２１を押すと、注入ポンプ入２２動作にて該注入ポンプ１８の運転を開始する。同時に５分タイマー２３が作動する。５分後に、濃塩水の到達を動的に確認するために通水電磁弁開電解電源印加２４動作にて該通水電磁弁３を開き通水すると共に該電解電源２０を該電解槽８に印加する。該電解電源２０は電解電流値を該制御器１９へ送る電解電流判定２５にて所定電流（１０Ａ）に達しているか判定する。【００１４】  所定電流（１０Ａ）に達した場合は確実な状態を確認するために１０秒タイマー３０が作動する。１０秒後に再度、電解電流判定３１にて所定電流（１０Ａ）に達したか判定する。２度とも連続して判定値に達した場合は電解電源遮断通水電磁弁閉３２動作にて該電解槽８の該電解電源２０を遮断すると共に該通水電磁弁３を閉じて止水してエア抜きを完了して待機状態に戻る。【００１５】  所定電流（１０Ａ）に達しない場合は電解電源遮断通水電磁弁閉２６動作にて該電解槽８の該電解電源２０を遮断すると共に通水電磁弁を閉じて止水して判定回数２７にて判定回数を計数し、所定回数に達しない場合は１秒タイマー２８が作動する。１秒後に、再び、該通水電磁弁開電解電源印加２４に戻り電解電流値の判定を繰り返す。【００１６】  判定回数２７が所定回数に達した場合は該電解補助液タンク１６の濃塩水が空と判断し、注入ポンプ切３３にて該注入ポンプ１８を停止し、電解補助液空の異常表示２９して待機状態に戻る。【００１７】  また、該生成開始釦３４が押すと、電解水生成中３５となり、強酸性電解水、及び、強アルカリ性水電解水を生成する。
【産業上の利用可能性】
【００１８】  電解補助液が電解槽内へ到達していることを動的に確認することができ、電解補助液の補充の際、電解補助液タンクに水量センサーを追加することによって、電解補助液の注入水路の自動エア抜きの用途にも適用できる。
【図面の簡単な説明】
【００１９】
【図１】本発明の実施形態に係る電解水生成器の構成概略図である。
【図２】本発明のエア抜き動作の流れ図である。
【符号の説明】
【００２０】１  給水管                            ２  ストレーナ
３  給水電磁弁                        ４  減圧弁
５  フィルター                        ６  流量センサー
７  流量調整弁                        ８  電解槽
９ａ、９ｂ  電極板                    １０  隔膜板
１１  酸性電解水吐水口                １２  アルカリ性電解水吐水口
１３、１４  逆止弁                    １５  排気口
１６  電解補助液タンク                １７  塩水カプラ
１８  注入ポンプ                      １９  制御器
２０  電解電源                        ２１  エア抜き釦
２２  注入ポンプ入                    ２３  ５分タイマー
２４  通水電磁弁開電解電源印加        ２５  電解電流測定
２６  電解電源遮断通水電磁弁閉        ２７  判定回数
２８  １秒タイマー                    ２９  異常表示
３０  １０秒タイマー                  ３１  電解電流測定
３２  電解電源遮断通水電磁弁閉        ３３  注入ポンプ切
３４  生成開始釦                      ３５  電解生成中
【図１】
2005288424.tif 000003
【図２】
2005288424.tif 000004